(57)【要約】【課題】  網戸等の枠組みの連結ブロックを外すことなく、枠組みを維持したまま、ネットを巻取装置と共に容易に外すことのできるネット収納枠付きの網戸および網窓を提供する。【解決手段】  両方の連結ブロックは、嵌合壁を介して金属製又は樹脂製の内基板が間隔を保持してビス止めされ、その間隔には、一端では前記調整装置を内装し、それに巻取装置の中心軸が脱出可能に連結され、他端では巻取装置の中心軸の下端部が脱出可能に嵌まる軸受子を挟持し、軸受子を手前に抜き出し得るように、当該端部の内基板には、軸受子を中心部で支持する箇所から手前隅角に開口するまで軸受子をスライドさせるガイド溝を形成した。【選択図】    図２
2006233483.tif 000002
【特許請求の範囲】
【請求項１】
左右縦枠と上下枠とによりネットを開閉する枠組みがなされ、そのうちの一の枠をネット収納枠として、それにコイルスプリングの弾力で巻取軸が回転するネットの巻取装置を内装するとともに、巻取装置を取り外し得るように開閉カバーを軸支し、このネット収納枠の両端にそれぞれ面当てしてプラスチックからなる板状の連結ブロックをビス止めし、一端の連結ブロックの側で巻取装置の調整装置を備えた網戸および網窓において、両方の連結ブロックは、嵌合壁を介して金属製又は樹脂製の内基板が間隔を保持してビス止めされ、その間隔には、一端では前記調整装置を内装し、それに巻取装置の中心軸が脱出可能に連結され、他端では巻取装置の中心軸の下端部が脱出可能に嵌まる軸受子を挟持し、軸受子を手前に抜き出し得るように、当該端部の内基板には、軸受子を中心部で支持する箇所から手前隅角に開口するまで軸受子をスライドさせるガイド溝を形成したことを特徴とするネット収納枠付きの網戸および網窓。
【請求項２】
ネット収納枠が左右いずれかの縦枠であって、軸受子にはガイド溝に沿って長くなるよう連れ子を一体に形成し、連れ子に指掛けを設けてあることを特徴とする請求項１記載のネット収納枠付きの網戸および網窓。
【発明の詳細な説明】
【技術分野】
【０００１】
この発明は、ネットをスプリングの弾力で自動的に巻取り戻して開くようにした収納枠付きの網戸および網窓に関する。
【背景技術】
【０００２】
従来、網戸等では、ネットが季節的に不要となるときには仕舞うことができるように、一端にネット収納枠を組み込んで枠組みされる。この場合、ネット収納枠は、実施例の図面に示すように、上下両端に面当てにおいて連結ブロック８，９がビス止めされ、その間において、ネット５の巻取装置７として、巻取軸２７、自動的に巻く力を蓄えるコイルスプリング２５、巻取軸２７に対してコイルスプリング２５に回転弾発力を付与する中心軸３１等が内装される。また、ネット５の先に可動框１２が取り付けられ、可動框１２が他方の縦枠２にコイルスプリング２５の弾発力に抗して止められ、ネットが張り状態となる。
【０００３】
また、張り状態を解除すると、コイルスプリング２５の力により自動的にネット５が巻取り戻されるが、ネットの張りと収納とが過不足なく正常に行われるためには、時にはその調整が必要であるので、上端にその調整装置１０の主要部が設けられるが、これは内部の巻取装置７やコイルスプリング２５等と関連した構造であった。
【０００４】
ネット収納枠には、僅かの隙間から虫やゴミが侵入し、また、ネットに付着していたゴミが収納と同時に侵入することになるので、いつの間にか内部が虫の死骸やゴミで汚れてくることは避けられなかった。
【発明の開示】
【発明が解決しようとする課題】
【０００５】
ネットの収納枠においては、上記のように、ネットを収納する構造を取る必要や機能を維持保全する必要等から、前面が開閉カバー１７となっていたが、開閉カバー１７を開いただけでは、構造が入り組んでいるため内部を綺麗に掃除することができなかった。特に、ネットに付着している汚れを取るには、ネットの巻取軸２７を取り外せばその作業が容易となるが、巻取軸２７が連結ブロック８，９を上下枠３，４から外さない限り外れない構造となっていたので、実際にはネットを取り外して掃除することはできなかった。
【０００６】
この発明は、上記のような実情に鑑みて、網戸等の枠組みの連結ブロックを外すことなく、枠組みを維持したまま、ネットを巻取装置と共に容易に外すことのできるネット収納枠付きの網戸および網窓を提供することを課題とした。
【課題を解決するための手段】
【０００７】
この発明は、上記の課題を解決するために、左右縦枠と上下枠とによりネットを開閉する枠組みがなされ、そのうちの一の枠をネット収納枠として、それにコイルスプリングの弾力で巻取軸が回転するネットの巻取装置を内装するとともに、巻取装置を取り外し得るように開閉カバーを軸支し、このネット収納枠の両端にそれぞれ面当てしてプラスチックからなる板状の連結ブロックをビス止めし、一端の連結ブロックの側で巻取装置の調整装置を備えた網戸および網窓において、両方の連結ブロックは、嵌合壁を介して金属製又は樹脂製の内基板が間隔を保持してビス止めされ、その間隔には、一端では前記調整装置を内装し、それに巻取装置の中心軸が脱出可能に連結され、他端では巻取装置の中心軸の下端部が脱出可能に嵌まる軸受子を挟持し、軸受子を手前に抜き出し得るように、当該端部の内基板には、軸受子を中心部で支持する箇所から手前隅角に開口するまで軸受子をスライドさせるガイド溝を形成したことを特徴とするネット収納枠付きの網戸および網窓を提供するものである。
【０００８】
ネット収納枠付きの網戸および網窓を上記のように構成したから、収納枠に巻き取ったネットを取り外すときには、開閉カバーを開いた状態において、軸受子をガイド溝にスライドさせながらそれに軸支されている巻取装置を引き出す。そうすると、ネットが巻かれた巻取装置は、上端では調整装置から巻取装置の中心軸が外れ、また、下端では軸受子から中心軸が外れるので、巻取装置が取り出されて、ネット収納枠が空になる。
【発明の効果】
【０００９】
以上説明したように、この発明のネット収納枠付きの網戸および網窓によれば、その枠組みを解体することなくそのままの状態で、巻取装置をネット収納枠から分離して取り外すことができるので、ネット収納枠の中を掃除できるとともに、取り出された巻取装置からネットを巻き戻しながら引き出してそれも完全に掃除できるという優れた効果がある。
【００１０】
また、軸受子に指掛け付きの連れ子を形成したときには（請求項２）、巻取装置の軸受けの安定性が良くなるとともに、巻取装置の取り外しがさらに容易となる。
【発明を実施するための最良の形態】
【００１１】
次に、この発明の実施の形態を図面に基づいて説明する。
【００１２】
図１ないし図４は防虫網戸として実施した一形態を示し、その防虫網戸は、一方の縦枠をネット収納枠１としたもので、そのネット収納枠１と他方の縦枠２と、上下枠３，４で枠組みされ（図１，図２）、ネット収納枠１にネット５の巻取装置７が装備され、その巻取装置７が着脱可能となっている。
【００１３】
ネット５を張る枠組みは、ネット収納枠１と上下枠３，４とに、それぞれ連結片８ａ，９ａ付きの連結ブロック８，９が用いられ、また、連結ブロック８，９にそれぞれ内基板１３，１４が伴っている。そして、ネット収納枠１の上端において、巻取装置７の調整装置１０が設けられ、それが連結ブロック８と内基板１３との間に装備される。また、ネット収納枠１の下端では、巻取装置７の軸受子１５が用いられ、それが連結ブロック９と内基板１４との間に挟持されるが（図３）、その下部内基板１４には、軸受子１５を巻取装置７とともに外すためのガイド溝１１が設けられている。なお、ネット５の先端には可動框１２を接続し、縦枠２に上下磁石１８，１８を取付け、可動框１２にそれに吸着される金属の磁石受け１８ａ，１８ａが取り付けてある。
【００１４】
ネット収納枠１は、枠本体１６と開閉カバー１７との組合せからなるもので、それぞれ断面Ｌ字形に形成され、枠本体１６については、内角と両端にビスポケット１９，１９，１９を設け（図４）、そのうちの一端のビスポケット１９を軸として開閉カバー１７が開閉可能に軸支され、その軸支のために、開閉カバー１７の基端にビスポケット１９に嵌まる一回り大きい軸受ポケット２０が形成される（図４）。したがって、開閉カバー１７は、ネット５が張られる前記した枠組みに向かいながら右手で開閉カバー１７の開閉操作ができるもので、開閉カバー１７を斜め手前に開きその方向へ巻取装置７が引き出される。
【００１５】
巻取装置７は、主要部がネット収納枠１の中に内装され（図３）、中心軸３１に筒形の巻取軸２７を軸承し、その軸承には、軸受３５，３５，３５が巻取軸２７に嵌合して固着される。そして、コイルスプリング２５が中心軸３１の上端部に挿嵌され、中心軸３１の回転によりコイルスプリング２５が巻かれるように、その下端を下の軸受３５に掛止し、上端を中心軸３１に止め具３７で固着してある。そこで、ネット５を開く矢印Ｐａ方向へ可動框１２を移動させネット５を引き出すと、コイルスプリング２５に弾力が蓄積され、ネット５を巻き取る矢印Ｐｂ回転方向へ付勢される。中心軸３１の上端には、調整装置１０との連結片３８がマイナス（−）形突片に加工して形成され、中心軸３１の下端部３１ａは、段差において細く形成されることにより軸受子１５に脱出可能に軸支される。或いは、本発明にあっては、中心軸３１の下端部３１ａは、軸受子１５及び連れ子７９と一体化されたものであってもよい。
【００１６】
調整装置１０は、他の実施形態として示す図１２にも見られるように、上端の連結ブロック８と内基板１３との間に、中心軸３１と同軸に回転する原動歯車３９と、それに噛合する従動歯車４１とを挟んで支承したもので、さらにその間には、コイルスプリング２５の弾力を溜め込む原動歯車３９を停止および解除するラチェットレバー４３と、それを停止方向に付勢するばねピン４５が内装される。
【００１７】
原動歯車３９は、上にラチェット車４０を一体に形成したもので、上下に円形の軸部４７，４７を突設し、それにマイナス（−）形のドライバー穴４９が上下に貫通して形成され、その穴４９の下端に中心軸３１の上端の連結片３８が嵌入される。したがって、巻取装置７を取り外すときには、この連結片３８がドライバー穴４９から外れることになる。
【００１８】
また、従動歯車４１にも上下に軸部４８，４８を突設し、これにもマイナス形のドライバー穴５０が形成される。また、ラチェットレバー４３は、く字形に屈折した形状であって、基端に軸受穴５１を、先端に指掛け５３をそれぞれ形成し、中間にラチェット車４０と噛合するラチェット５５が突設される。なお、側面にばねピン４５が掛かる細溝が形成される。なお、上部内基板１３では、ラチェットレバー４３をばねピン４５の弾力に抗して引くと、コイルスプリング２５が戻る力で原動歯車３９が回転するので、引く程度でコイルスプリング２５を緩ませる調整ができるようになっている。
【００１９】
上下連結ブロック８，９は、ほぼ四角形の板状であって一側の室外寄りから連結片８ａ，９ａが二股に突設しているもので、上下内基板１３，１４とともに上下対称の同一形状となっている。その形状については、周囲に枠本体１６の内側に接合する嵌合壁５６を突設し、それが前面からネット５の収納口２１に至る部分を除いて形成されており、それに内基板１３，１４が当たることによりそれとの間のセパレータの役目を果たしている。そして、嵌合壁５６を有する部分の３つの角部に、枠本体１６のビスポケット１９，１９，１９に取付ビス６１を螺入するために、その通し穴が設けられている。また、嵌合壁５６に当てて内基板１３，１４を固定するために、嵌合壁５６と一体的に、固定ビス６３，６３を螺入する一対の筒形螺入穴６４，６４が突設される。
【００２０】
さらに、連結ブロック８，９には、四角形の中心部に原軸穴５７を、アール角近くに従軸穴５９をそれぞれ設けてあり、下部連結ブロック９では、その両穴５７，５９に軸受子１５が保持される。ただし、後記実施形態では、従軸穴５９にのみ保持される（図９）。
【００２１】
上下内基板１３，１４は、ほゞ上下対称形状の金属製又はプラスチック（樹脂）製であって、枠本体１６のビスポケット１９，１９，１９の箇所と、連結ブロック８，９のアール角の部分との四隅が切り欠かれ、また、内基板１３，１４を止める固定ビス６３，６３の通し穴７３，７３が穿設される。しかし、上部内基板１３については、中心部に連結ブロック８，９の原軸穴５７に対応する原軸穴５７ａと、従軸穴５９に対応する従軸穴５９ａがそれぞれ形成されているのに対して、下部内基板１４については、その原軸穴５７ａと従軸穴５９ａに対応する部分を通るように、軸受子１５が係る前記ガイド溝１１が設けられ、それが中心部から手前隅角に開口して形成される。
【００２２】
軸受子１５は、巻取装置７の中心軸３１の下端部３１ａが嵌まる筒形であって、連部片７７を介して短柱状の連れ子７９が一体にプラスチックで成形され、軸受子１５と連れ子７９との上端にガイド溝１１に係合する円形の突部８１，８２が形成され、両方の下端には下部連結ブロック９の原軸穴５７と従軸穴５９とに係合する低い係合部８３，８４が凸面鏡状に形成される（図３）。
【００２３】
係合部８３，８４の引っ掛かりがこのように軽いので、巻取装置７を取り外すときには、連れ子７９の突部８２に指を掛けながら、軸受子１５をガイド溝１１に沿って引き出すことができ、そのときに、上端では連結片３８で巻取装置７が外れるので、軸受子１５からも中心軸３１の下端部３１ａを外すことにより、掃除しやすく単独に分離することができる。
【００２４】
図５ないし図１２は他の実施形態を示したもので、この場合であると、下部連結ブロック９に具備される軸受子１５について、比較的大きい連れ子７９を設けることによりそれとの間が括れるよう切欠部９１，９１を設け、軸受子１５の本体部分にのみ下部内基板１４のガイド溝１１に係合する突部８１を設け、連れ子７９部分の下面には、下部連結ブロック９の従軸穴５９に僅かに落ちる低い係合部８４が形成される。また、下部連結ブロック９と下部内基板１４との間には、軸受子１５の脱出を止めるプラスチック製の抑止片９３が差し込まれ、その一端が摘み９５として突出している。
【００２５】
下部内基板１４には、ガイド溝１１よりも後端部に係止穴９６が設けられている。そして、抑止片９３は、摘み９５を一端にして長く棒状に形成され、先端に係止穴９６に係合するに係止部９７を有し、中途に軸受子１５の切欠部９１に掛かる係止爪９９，９９が突設される。そこで、この掛け止めにより軸受子１５の脱出が防止されるが、摘み９５を引いて係止爪９９を軸受子１５から外すと、ロック状態が解除される。また、軸受子１５の連れ子７９の箇所には、指掛け１０１が抜け穴において形成されているので、指掛け１０１に指を掛けて軸受子１５をガイド溝１１に沿って外すことができる。
【図面の簡単な説明】
【００２６】
【図１】この発明の一実施形態によるネット収納枠付き網戸および網窓を示す分解斜視図である。
【図２】同要部をさらに分解した斜視図である。
【図３】同網戸および網窓の要部を示す正面から見た断面図である。
【図４】図３のＡ−Ａ線矢視の断面図である。
【図５】他の実施形態による下部連結ブロックとそれの装着部品との組み合わせを示す平面図である。
【図６】同実施形態における下部内基板の平面図である。
【図７】同実施形態における軸受子の平面図である。
【図８】同実施形態における下部内基板の側面から見た断面図である。
【図９】図７のＢ−Ｂ線矢視の断面図である。
【図１０】同実施形態における抑止片の平面図である。
【図１１】同実施形態における抑止片の側面図である。
【図１２】同実施形態における上部連結ブロックとそれの装着部品との組み合わせを示す底面図である。
【符号の説明】
【００２７】
１  ネット収納枠
２  縦枠
３  上枠
４  下枠
５  ネット
７  巻取装置
８，９  連結ブロック
８ａ，９ａ  連結片
１０  調整装置
１１  ガイド溝
１３，１４  内基板
１５  軸受子
１７  開閉カバー
２５  コイルスプリング
３１  中心軸
７９  連れ子
８２  突部（指掛け）
９３  抑止片
９５  摘み
１０１  指掛け
【図１】
2006233483.tif 000003
【図２】
2006233483.tif 000004
【図３】
2006233483.tif 000005
【図４】
2006233483.tif 000006
【図５】
2006233483.tif 000007
【図６】
2006233483.tif 000008
【図７】
2006233483.tif 000009
【図８】
2006233483.tif 000010
【図９】
2006233483.tif 000011
【図１０】
2006233483.tif 000012
【図１１】
2006233483.tif 000013
【図１２】
2006233483.tif 000014